(57)【要約】【課題】単純な構造でありながら、モニタの高さ位置の調整が容易なモニタスタンドを提供する。【解決手段】支持体１６と、支持体１６に対してスライド可能であり、モニタが取り付けられるスライド体１８と、一端が支持体１６に係止され、他端がスライド体１８に係止されて、モニタ側からの荷重によりスライド体１８が支持体１６に接近する方向にスライドすることにより伸張する引張バネ２０と、支持体１６とスライド体１８との間に配設され、スライド体１８を支持体１６に対するスライド位置で停止させる摩擦材２２とを具備することを特徴とするモニタスタンド１０である。【選択図】　　　　図１
2004077710.tif 000002
【特許請求の範囲】
【請求項１】
支持体と、
該支持体に対してスライド可能であり、モニタが取り付けられるスライド体と、
一端が前記支持体に係止され、他端が前記スライド体に係止されて、前記モニタ側からの荷重により前記スライド体が前記支持体に接近する方向にスライドすることにより伸張する引張バネと、
前記支持体と前記スライド体との間に配設され、前記スライド体を前記支持体に対するスライド位置で停止させる摩擦材とを具備することを特徴とするモニタスタンド。
【請求項２】
前記支持体と前記スライド体とに前記引張バネが複数本配設されていることを特徴とする請求項１記載のモニタスタンド。
【請求項３】
前記支持体が外筒に形成され、前記スライド体が前記外筒に進入する内筒に形成され、前記外筒および前記内筒に、それぞれ内方に向けて曲折された前記引張バネを係止するためのフックが形成されていて、
前記内筒には、前記外筒のフックが進入すると共に前記内筒の上下方向の移動を許容するスリットが設けられていることを特徴とする請求項１または２に記載のモニタスタンド。
【請求項４】
前記摩擦材に板バネを用いていることを特徴とする請求項１乃至３いずれか一項に記載のモニタスタンド。
【請求項５】
前記支持体と、前記スライド体との間には、樹脂シートが配設されていることを特徴とする請求項１乃至４いずれか一項に記載のモニタスタンド。
【発明の詳細な説明】
【０００１】
【発明の属する技術分野】
本発明は、モニタスタンドに関し、より詳細には、モニタの高さ位置の調整が可能なモニタスタンドに関する。
【０００２】
【従来の技術】
従来よりＬＣＤモニタ等を設置するモニタスタンドが多数提供されている。
近年においてはモニタスタンドが伸縮可能に形成され、ＬＣＤモニタ等の表示部の設置高さが調整できるモニタスタンドが提供されるようになった。このモニタスタンドによれば、ＬＣＤモニタ等の表示部を任意の高さに設定することができるため、各ユーザの好みに応じたＬＣＤモニタ等（以後単にモニタということがある）の高さ位置の設定が可能になるとして好適に用いられている。
【０００３】
【発明が解決しようとする課題】
このモニタの高さ方向の位置調整が可能なモニタスタンドにおいては、モニタの重量を支持する手段として圧縮バネが用いられている。このため、圧縮バネが圧縮する方向の荷重に対しては、圧縮バネが座屈してしまわないように、圧縮バネに対して、座屈防止対策（例えば、圧縮バネの中心軸部分にシャフトを入れる等）をしなければならない。すなわち、構造が複雑化することと、製造部品が増加することにより、モニタスタンドの製造コストが高騰するといった課題がある。
また、モニタスタンドの内部にバネを配設することから、バネの配設スペースに制約を受けるので、圧縮バネの長さが制限されてしまう。
さらに、フックの法則により、モニタの位置の下げ量に伴って、バネの反発力が大きくなる。このため、モニタの高さを調節する操作を円滑に行うことができないことや、モニタスタンドを伸縮させた際に、伸縮部分に作用する圧縮バネの反発力により、高さ調整をした後のモニタの高さ位置がずれてしまわないようにするための係止部材を頑丈に作らなければならず、さらに製造コストが高騰してしまうといった課題もある。
【０００４】
本発明は、高さ調節を容易に行うことが可能なモニタスタンドおよびモニタ装置を単純な構造にすることで、低コストにて使い勝手のよいモニタスタンドを提供することを目的としている。
【０００５】
【課題を解決するための手段】
本発明は以上に説明した課題を解決するべくなされたものであり、次のような構成を有する。
すなわち、支持体と、該支持体に対してスライド可能であり、モニタが取り付けられるスライド体と、一端が前記支持体に係止され、他端が前記スライド体に係止されて、前記モニタ側からの荷重により前記スライド体が前記支持体に接近する方向にスライドすることにより伸張する引張バネと、前記支持体と前記スライド体との間に配設され、前記スライド体を前記支持体に対するスライド位置で停止させる摩擦材とを具備することを特徴とするモニタスタンドである。
これにより、座屈対策が不要になる上、引張バネ特有の初張力を利用することができるので、バネ定数が小さいバネを使用できる。バネ定数が小さいと、モニタの上下操作が容易であると共に、バネの反発力の変化量が小さくなるので高さ調整をしたモニタ位置を維持するための摩擦材が簡易なもので済む等、部品数を少なくすることができる。
【０００６】
また、前記支持体と前記スライド体とに前記引張バネが複数本配設されていることが好ましい。
このような構成としたことにより、引張バネの特性により一本の引張バネを使用する場合よりも、引張バネシステム全体としての初張力を大きくすることができるので、一本あたりの引張バネのバネ定数をさらに小さくすることができる。よって、さらに取り扱いが容易なモニタスタンドにすることができる。
【０００７】
さらに、前記支持体が外筒に形成され、前記スライド体が前記外筒に進入する内筒に形成され、それぞれ内方に向けて曲折された前記引張バネを係止するためのフックが形成されていて、前記内筒には前記外筒のフックが進入すると共に、前記内筒の上下方向の移動を許容するスリットが設けられていることが好ましい。
さらにまた、前記摩擦材に板バネを用いていることが好ましい。
これらによれば、モニタスタンドの構造が簡略化されるので製造コストの削減が可能になる。
【０００８】
さらにまた、前記支持体と、前記スライド体との間には、樹脂シートが配設されていることが好ましい。
これによれば、モニタの高さ調節をする際に支持体とスライド体の摩擦により生じる不快音を好適に抑えることができる。
【０００９】
【発明の実施の形態】
（第１の実施の形態）
以下、本発明に係るモニタスタンドの好適な実施の形態を図面に沿って説明する。
図１は本実施の形態に係るモニタスタンドの組み立て図である。図２は図１のＡ部分の詳細な組立図である。
モニタスタンド１０は、底板１２と、底板１２に固定された支持体１６と支持体１６に対してスライド可能なスライド体１８と、支持体１６に形成されたフック１５ｘと、スライド体１８に形成されたフック１８ｘに係止される引張バネ２０と、摩擦材の板バネ２２および摩擦シート２４によって概略が構成されている。
【００１０】
それぞれの部材について説明する。
底板１２の底面の四隅には、スベリ止め１２ａが取り付けられている。底板１２の上面には、支持体１６がネジ止めにより固定される。
支持体１６は、２つの部材１４、１５により構成されており、それぞれが板金加工により形成されている。
【００１１】
支持体１６の一方の部材１４は、変形コの字形断面に形成された立ち上がり部１４ａと、立ち上がり部１４ａの下端側に、立ち上がり部１４ａに直交する外方向に折り曲げられた、底板１２とのネジ止め部１４ｂとにより形成されている。立ち上がり部１４ａの正面壁の内側面には、摩擦シート２４が貼着されている。摩擦シート２４は、適度な滑らかさを有していることが好ましいが、板バネ２２との間で、必要な摩擦力が生じるものでなければならない。本実施の形態においては、ＰＥＴ樹脂からなるシート材が用いられている。
【００１２】
また、図１に示すように、立ち上がり部１４ａの両側壁部内面にも、ＰＥＴ樹脂等からなる樹脂シート３２が配設されている。これにより支持体１６とスライド体１８との間の摩擦力を減らすことができるので、スライド体１８をスライドさせる際の動作を円滑に行うことができ好都合である。
【００１３】
支持体１６の他方の部材１５は、一方の部材１４の開口部分を覆うようにして開口部縁部に固定されている立ち上がり部１５ａと、立ち上がり部１５ａに直交する外方向に折り曲げられた底板１２とのネジ止め部１５ｂと、立ち上がり部１５ａの上端部分に立ち上がり部１５ａから内方に向けて折り曲げられた、引張バネ２０の一端縁を係止させるフック１５ｘとにより形成されている。本実施の形態では、フック１５ｘを２ヶ所に設けている。立ち上がり部１５ａの内側部分には、ＰＥＴ樹脂等からなる樹脂シート３２が貼着されている。
上記のようにして、支持体１６は断面が略五角形をなす筒状（以下、外筒ということがある）に形成される。
【００１４】
スライド体１８は、外筒である支持体１６に進入可能な筒状に形成されている（以下、内筒ということがある）。
スライド体１８の下端部においては、引張バネ２０の他端縁を係止するフック１８ｘが内方に向かって折り曲げられて形成されている。本実施の形態においては、フック１８ｘは２ヶ所に形成されている。
また、スライド体１８の上端部においては、モニタを接続するアダプタ４０（図３参照）を取り付けるためのネジ止め部１８ａが形成されている。
【００１５】
スライド体１８には、支持体１６の上端部に形成されたフック１５ｘが進入して、上下方向にスライド可能となるようスリット１８ｂが上下方向に設けられている。
また、支持体１６に貼着された摩擦シート２４に対応する位置であり、かつ、スライド体１８の正面の下端近傍部分には、摩擦材としての板バネ２２がネジ止めにより固定されている。この板バネ２２は摩擦シート２４に弾接し、両者間に摩擦力が生じるようになっている。
【００１６】
組み立てについて説明する。
底板１２に、支持体１６における一方の部材１４のネジ止め部１４ｂを当てて、ネジ止めにより組み立てる。
次に、図２に示すように、スライド体１８のスリット１８ｂにフック１５ｘを進入させ、フック１５ｘに引張バネ２０の上端を係止する。次に、引張バネ２０の下端をスライド体１８のフック１８ｘに係止する。その後に、スライド体１８を支持体１６の一方の部材１４に進入させ、他方の部材１５を底板１２と一方の部材１４とにネジ止めして一体に固定する。
続いて、スライド体１８の上端部にアダプタ４０をネジ止めした後に、アダプタ４０にモニタを取り付けて化粧カバーを取り付けることにより、図４に示すようなモニタ装置１１が組み立てられる。
【００１７】
モニタスタンドおよびモニタ装置の使用方法について説明する。
本発明におけるモニタスタンド１０は、モニタをアダプタ４０にネジ止め等により取り付けしてモニタ装置１１となる。取り付けられたモニタの重量は、基本的には、スライド体１８を介して支持体１６とスライド体１８のフック１５ｘ、１８ｘに係止された引張バネ２０が伸びることにより支持される。
また、支持体１６とスライド体１８とには、板バネ２２の摩擦力が作用することから、モニタは任意の高さ位置で保持される。
モニタが取り付けられた状態で、スライド体１８が引張バネ２０の弾性変形範囲内で支持されているならば、ユーザがモニタの高さ位置を調整する際に、引張バネ２０の反発力を利用することができ、僅かな力でスライド体１８を上下方向に動かすことができる。
【００１８】
図５は引張バネと圧縮バネの特性を示す説明図である。
モニタの上下移動幅はスタンドの仕様として決定される。バネの反発力はモニタが上下移動幅の中心位置であるときにモニタの重さと略等しくなっていることが好ましい。これによれば、高さ位置調整後のモニタを保持するための摩擦材の負担が少なくて済むため、摩擦材の構成を簡易なものにすることができるためである。このような条件において圧縮バネと引張バネの特性を比較する。
【００１９】
図５において、Ｌ０ｅ、Ｌ０ｃはそれぞれ引張バネと圧縮バネの無負荷状態における長さであり、Ｌ１、Ｌ２はモニタの上下移動幅におけるばねの最縮長さと最伸長さであり、Ｐ１、Ｐ２は圧縮バネの最縮長さ時と最伸長さ時におけるバネの反発力であり、Ｑ１、Ｑ２は引張バネの最縮長さ時と最伸長さ時におけるバネの反発力である。
図５に示されているとおり、初張力を利用することができない圧縮バネは、無負荷状態における長さＬ０ｃを大きくすればグラフの傾き（バネ定数）を小さくすることができるが、無負荷状態における長さＬ０ｃを大きくすることができない場合、グラフの傾きが大きくなる。この結果、圧縮バネの最縮長さＬ１におけるバネの反発力Ｐ１と圧縮バネの最伸長さＬ２におけるバネの反発力Ｐ２の差が大きくなる。
【００２０】
これに対して、引張バネは初張力Ｔの大きな引張バネを使用することにより、グラフの傾斜を小さくすることができ、引張バネの最縮長さＬ１におけるバネの反発力Ｑ１と引張バネの最伸長さＬ２におけるバネの反発力Ｑ２の差を小さくすることができるため、好適である。
このように、モニタのカウンターウェイトとして引張バネを使用した場合には、モニタスタンド１０の小型化が図れ、また、板バネ２２からの摩擦力も小さくて済むという利点がある。
【００２１】
本発明では、引張バネ２０を使用することで、引張バネ２０の持つ初張力をモニタ重量の支持に利用することを特徴の一つとしている。
すでに説明したとおり、引張バネ２０の初張力をモニタ重量を越えない範囲で可及的に大きく設定すれば、バネ定数を小さくすることができる。これにより、モニタの高さ位置の調整範囲を広く設定しても、バネの反発力を小さくすることができ、摩擦材を強固なものにする必要がなくなる。つまり、図１、図２に示すような板バネ２２と摩擦シート２４からなる単純な構造による摩擦材で十分バネの反発力に対応することができるので、製作コストを削減させることができ好適である。
【００２２】
さらに、本実施の形態のように引張バネ２０を複数本配設することにより、引張バネ全体としての初張力を大きくすることができるので、バネ定数をさらに小さく設定することが可能になる。これにより、モニタの位置調節範囲を大きく設定しても、反発力を小さくすることができるため、さらに操作性に優れ、簡易な構造の摩擦材にすることができ、非常に使い勝手の良いモニタスタンド１０およびモニタ装置１１とすることができる。
【００２３】
スライド体１８を支持体１６に対してスライドさせる際には、支持体１６とスライド体１８にそれぞれ貼着した樹脂シート３２を介して摺接し、支持体１６とスライド体１８とが直接接触しないので、摩擦により生じる不快音を防止することができる。
【００２４】
（第２の実施の形態）
本実施の形態におけるモニタスタンド１０は、図１と図２に示されているモニタスタンド１０と概略形状は同様であるが、支持体１６とスライド体１８に形成されたフック１５ｘ、１８ｘがそれぞれ、外方に向けて曲折されることにより形成され、支持体１６にスライド体１８に形成されたフック１８ｘが進入し、フック１８ｘの上下方向の移動を許容するスリット（図示せず）が形成されていることが異なっている。
この構造を採用することにより、モニタスタンド１０の外側に引張バネ２０を配設することができるので、モニタスタンド１０の支持体１６が細く、支持体１６の中空面積が小さくても、複数の引張バネ２０を配設することができるため好適である。
【００２５】
以上、本発明の実施の形態について説明してきたが、本発明は以上に説明した実施の形態に限定されるものではなく、発明の要旨を変更しない範囲において各種の改変がなされても本発明の技術的範囲に属することは言うまでもない。
例えば、本発明に係るモニタ装置に適した初張力とバネ定数を有する引張バネが調達することができるのであれば、引張バネの配設数を単数にすることも可能である。これによれば、モニタスタンドおよびモニタ装置の構造を単純にすることができるので、製造コストをさらに削減することができるため好適である。
【００２６】
また、スライド体は必ずしも支持体に内挿させる必要はなく、外挿させる形態としても良いのはもちろんであり、これらの断面形状についても、特に制約を受けることはない。
さらには、摩擦材は、スライド体を任意の位置で固定することができればよく、ストッパを配設することによってでもよい。
さらにまた、本実施の形態で説明したモニタスタンドおよびモニタ装置に、ＣＰＵやマザーボード、記憶手段等をモニタに一体に形成し、モニタの高さ位置の調整が容易なパーソナルコンピュータとすることも十分に可能である。
【００２７】
【発明の効果】
本発明に係るモニタスタンドにおいて、モニタの重量を支持させる引張バネを採用したことにより、座屈対策が不要になる上、配設可能なバネの長さに制限を受けても、モニタの重量を支持するために引張バネの初張力を利用することができるので、バネ定数が小さいバネを使用することができる。バネ定数が小さいと、モニタの上下操作が容易であると共に、モニタ位置の調整幅の上限と下限におけるバネの反発力の差が小さくなるので、高さ調整をしたモニタの位置を維持するための摩擦材が簡易なもので済む等、部品数を少なくすることができる。
また、引張バネを複数本配設することにより、引張バネシステム全体としての初張力を大きくして、使用する引張バネのバネ定数をさらに小さくすることができるので、さらに取り扱いが容易なモニタスタンドにすることができる。
【００２８】
さらに、支持体が外筒で、スライド体が内筒であり、外筒に、内方に向けて曲折されたフックが形成されていて、内筒にフックが進入すると共に、内筒の上下方向の移動を許容するスリットを設けたこと、および、摩擦材は、板バネと摩擦部材とにより構成されていることにより、モニタスタンドの構造が簡略化されるので製造コストの削減が可能になる。
また、外筒と、内筒との間に樹脂シートを配設することことにより、モニタの高さ調節をする際に外筒と内筒の摩擦により生じる不快音を好適に抑えることができるといった著効を奏する。
【図面の簡単な説明】
【図１】本発明に係るモニタスタンドの説明図である。
【図２】図１のＡ部分における拡大組み立て図である。
【図３】モニタスタンドの概略を示す説明側面図である。
【図４】モニタ装置の完成品を示す側面図である。
【図５】引張バネと圧縮バネの特性を示す説明図である。
【符号の説明】
１０　モニタスタンド
１１　モニタ装置
１２　底板
１５ｘ、１８ｘ　フック
１６　支持体
１８　スライド体
１８ｂ　スリット
２０　引張バネ
２２　板バネ
２４　摩擦シート
３２　樹脂シート
【図１】
2004077710.tif 000003
【図２】
2004077710.tif 000004
【図３】
2004077710.tif 000005
【図４】
2004077710.tif 000006
【図５】
2004077710.tif 000007